(57)【要約】【課題】  画像形成処理をそれほど遅延させることなく複数のユーザーごとの画像形成済み用紙を容易に識別できるようにした画像形成システムを得る。【解決手段】  画像形成装置本体と、用紙に対する切欠き形成やステープルなどの機能を備えた後処理装置とからなる画像形成システム。後処理装置には画像形成装置本体から排出された用紙Ｓ１，Ｓ２，Ｓ３の先端及び／又は側部に識別用の切欠き５１ａ，５１ｂ，５１ｃ及び／又は５２ａ，５２ｂ，５２ｃを形成する切欠き形成ユニットが設けられ、用紙に対して、切欠きを形成する。【選択図】  図４
2006347715.tif 000002
【特許請求の範囲】
【請求項１】
画像形成済み用紙の端部に識別用の切欠きを形成する切欠き形成手段を備えたことを特徴とする画像形成システム。
【請求項２】
前記切欠き形成手段による用紙に対する切欠きの形成位置、大きさ、形状、または、切欠きを形成する紙種を選択可能であることを特徴とする請求項１に記載の画像形成システム。
【請求項３】
前記切欠き形成手段による用紙に対する切欠きの形成位置を、用紙搬送方向に対する先端、後端又は側部の少なくともいずれか一箇所に選択可能であることを特徴とする請求項１又は請求項２に記載の画像形成システム。
【請求項４】
さらに、パンチ穴形成手段、用紙綴じ手段を備え、
前記切欠き形成手段による用紙に対する切欠きの形成位置は、パンチ穴が形成される用紙端部又は綴じられる用紙端部であることを特徴とする請求項１又は請求項２に記載の画像形成システム。
【請求項５】
パンチ穴形成位置又は綴じ位置の近傍には前記切欠きを形成しないことを特徴とする請求項４に記載の画像形成システム。
【請求項６】
１回のジョブで連続的に画像形成される１枚目の用紙には切欠きを形成することなく、２枚目以降の用紙に対する切欠き形成位置に対応する部分に識別マークを付することを特徴とする請求項１ないし請求項５のいずれかに記載の画像形成システム。
【請求項７】
前記切欠き形成手段によって生じる切り屑を収容するための収容箱を備えたことを特徴とする請求項１ないし請求項６のいずれかに記載の画像形成システム。
【請求項８】
前記切欠き形成手段による切欠き形成モードを設定する表示部を備えたことを特徴とする請求項１ないし請求項７のいずれかに記載の画像形成システム。
【請求項９】
前記切欠き形成手段による切欠き形成モードを外部機器から設定可能であることを特徴とする請求項１ないし請求項８のいずれかに記載の画像形成システム。
【請求項１０】
前記切欠き形成手段による切欠き形成モードを過去の形成履歴から自動的に設定することを特徴とする請求項１ないし請求項９のいずれかに記載の画像形成システム。
【請求項１１】
画像形成装置本体に前記切欠き形成手段が搭載されていることを特徴とする請求項１ないし請求項１０のいずれかに記載の画像形成システム。
【請求項１２】
画像形成装置本体にて画像を形成された用紙に対して後処理を行う後処理装置に前記切欠き形成手段が搭載されていることを特徴とする請求項１ないし請求項１０のいずれかに記載の画像形成システム。
【発明の詳細な説明】
【技術分野】
【０００１】
本発明は、画像形成システム、特に、画像を形成された用紙に対する後処理機能を備えた画像形成システムに関する。
【背景技術】
【０００２】
通常、複写機やプリンタなどの画像形成装置本体には、プリント後の用紙のソート、パンチ穴の形成、紙折り、ステープルなどの後処理手段を内蔵した後処理装置が接続される。また、これらの後処理機能は画像形成装置本体に搭載される場合もある。
【０００３】
一方、近年の画像形成システムでは、該システム自体からのプリント要求のみならず、ネットワークを介して様々なユーザーからのプリント要求があり、排紙トレイ上に排出されて積載された用紙群がどのユーザーからの指示でプリントされたものか直ちに識別することは困難な状況にある。
【０００４】
そこで、従来では、プリント用紙を１ジョブごとに複数の排紙トレイに仕分けたり、一つの排紙トレイを１ジョブごとにシフトさせてプリント用紙を仕分けたりしていた。しかし、この方式では、複数の排紙トレイが必要であったり、排紙トレイをシフトさせる機構が必要となる。
【０００５】
一方、特許文献１には、１ジョブごとのプリント用紙の間に識別情報を印字した合紙を自動的に挿入していくプリンタが開示されている。しかし、このプリンタでは、合紙を用意しておく必要があり、識別情報の印字も余分な画像形成処理となり、本来のプリント処理を遅延させてしまうという問題点を有している。
【特許文献１】特開２００１−５８７３５号公報
【発明の開示】
【発明が解決しようとする課題】
【０００６】
そこで、本発明の目的は、画像形成処理をそれほど遅延させることなく複数のユーザーごとの画像形成済み用紙を容易に識別できるようにした画像形成システムを提供することにある。
【課題を解決するための手段】
【０００７】
以上の目的を達成するため、本発明に係る画像形成システムは、画像形成済み用紙の端部に識別用の切欠きを形成する切欠き形成手段を備えたことを特徴とする。
【０００８】
本発明に係る画像形成システムによれば、画像形成済み用紙の端部に識別用の切欠きを形成するようにしたため、従来の如く識別用の合紙を給紙し、識別情報を形成する必要はなく、本来の画像形成処理をそれほど遅延させることなくジョブごとの画像形成済み用紙を識別することができる。しかも、切欠きは用紙の端部に形成されるため、ユーザーは用紙が排紙トレイに積載された状態で容易に識別することができる。
【０００９】
本発明に係る画像形成システムにおいて、前記切欠き形成手段による用紙に対する切欠きの形成位置、大きさ、形状、または、切欠きを形成する紙種を選択可能としてもよい。また、切欠き形成手段による用紙に対する切欠きの形成位置を、用紙搬送方向に対する先端、後端又は側部の少なくともいずれか一箇所に選択可能であってもよい。
【００１０】
さらに、パンチ穴形成手段、用紙綴じ手段などの後処理手段を備えている場合、切欠き形成手段による用紙に対する切欠きの形成位置は、パンチ穴が形成される用紙端部又は綴じられる用紙端部とすることが好ましい。しかし、パンチ穴形成位置又は綴じ位置の近傍には前記切欠きを形成しないことが好ましい。
【００１１】
また、１回のジョブで連続的に画像形成される１枚目の用紙には切欠きを形成することなく、２枚目以降の用紙に対する切欠き形成位置に対応する部分に識別マークを付するようにしてもよい。識別マークとはユーザーを識別する色やユーザー名などである。さらに、切欠き形成手段によって生じる切り屑を収容するための収容箱を備えていてもよい。
【００１２】
また、切欠き形成手段による切欠き形成モードを設定する表示部を備えていてもよく、あるいは、切欠き形成手段による切欠き形成モードを外部機器から設定可能であってもよい。さらには、切欠き形成手段による切欠き形成モードを過去の形成履歴から自動的に設定可能であってもよい。
【００１３】
本発明に係る画像形成システムにおいて、前記切欠き形成手段は画像形成装置本体に搭載されていても、あるいは、画像形成装置本体にて画像を形成された用紙に対して後処理を行う後処理装置に搭載されていても、そのいずれであってもよい。
【発明を実施するための最良の形態】
【００１４】
以下、本発明に係る画像形成システムの実施例について、添付図面を参照して説明する。
【００１５】
（画像形成システムの概略構成、図１参照）
図１に示す画像形成システムは、画像形成装置本体１と後処理装置１００とからなり、画像形成装置本体１は、電子写真方式による周知のカラープリンタであって、原稿画像を読み取るためのスキャナ２を備えている。
【００１６】
スキャナ２は、図示しない原稿台ガラス上に載置された原稿の画像をＣＣＤ素子などのイメージセンサで読み取る周知のものであり、原稿画像はイメージセンサでＲＧＢ（赤、緑、青）の三原色に分解されて電気信号に変換される。その画像データはさらにＹＭＣＫ（イエロー、マゼンタ、シアン、ブラック）の各再現色に変換される。
【００１７】
画像形成装置本体１は、図示しない感光体ドラム、レーザ走査光学装置、現像装置などを含むＹＭＣＫの画像を形成して合成するプリントユニット１０を中心として構成されている。プリントユニット１０によって画像を形成する電子写真プロセスは周知であり、その説明は省略する。
【００１８】
画像形成装置本体１の下段には、積層されている用紙を１枚ずつ給紙する給紙トレイ２０が３段に設けられ、これらの給紙トレイ２０のいずれかから１枚ずつ給紙された用紙はプリントユニット１０で画像を形成された後、定着ユニット２５でトナー画像の加熱定着を施され、排出ローラ２９から後処理装置１００へ受け渡される。
【００１９】
後処理装置１００は、用紙にファイリング用のパンチ穴を開けるためのパンチユニット１１０、用紙の端部に識別用の切欠きを形成するための切欠き形成ユニット１２０、用紙を折るための折りユニット１３０、用紙束のコーナー部、一端部又は中央部を綴じるためのステープルユニット１４０及び用紙を収容／仕分けるためのトレイ１５１を備えたソータユニット１５０から構成されている。なお、後述する切欠き形成ユニット１２０以外の各ユニットの構成、動作は周知であり、その説明は省略する。
【００２０】
（制御部、図２参照）
以上の構成からなる画像形成システムの制御部の概略構成を図２に示す。この制御部は、画像処理制御部２０１と、プリント制御部２０２と、後処理装置制御部２０３とからなり、画像処理制御部２０１には操作パネル２０５が接続されている。
【００２１】
操作パネル２０５からプリントモードの設定、プリント枚数などプリントに関する種々のモード設定及び後述する切欠き形成モードの設定などが行われる。画像処理制御部２０１は、操作パネル２０５にて設定された種々のモードに基づいて画像形成装置本体１の全体的な動作を制御し、プリント制御部２０２に必要なプリント指示を行う。また、画像処理制御部２０１はコンピュータなどから図示しないネットワーク接続装置を介して受け取った画像データやプリントデータに基づいてプリント制御部にプリント指示を行う。
【００２２】
プリント制御部２０２は画像処理制御部２０１から受け取った指示に基づいて、用紙の搬送、プリントユニット１０の駆動などのプリント動作を実行する。後処理装置制御部２０３は、画像処理制御部２０１やプリント制御部２０２からの指示を受けて後処理装置１００の全体的な動作を制御する。
【００２３】
（切欠き形成ユニット、図３参照）
図３は後処理装置１００における切欠き形成ユニット１２０とその周辺の構成を示す。切欠き形成ユニット１２０は、垂直方向に駆動されるパンチロッド１２１を備え、入口部に搬送ローラ１０２と用紙検出センサ１２２が設置され、出口部に搬送ローラ１０３が設置されている。また、切欠き形成ユニット１２０は移動用モータ１２３にて矢印Ａで示す用紙搬送方向と矢印Ａ’で示す逆方向及びそれとは直交する方向に移動可能である。
【００２４】
搬送ローラ１０２は後処理装置１００の全体的な搬送駆動系によって制御され、搬送ローラ１０３は用紙搬送モータ１０４によって制御される。
【００２５】
切欠き形成ユニット１２０の用紙搬送路を挟んだ下方には、切り屑を収容するための収容箱１２５が設置されている。この収容箱１２５は上部が開口しており、パンチロッド１２１にて切欠きが形成される際に生じる切り屑が落下収容される。
【００２６】
（識別用切欠きの形成、図４〜図９参照）
前記切欠き形成ユニット１２０では、ユーザーがプリント処理を行う１ジョブごとにプリント用紙の端部にジョブの識別用の切欠きをパンチロッド１２１によるパンチングにて形成する。なお、パンチロッド１２１は切欠きの大きさや形状に応じて複数のものが用意されており、以下に説明するようにユーザーによるモード設定に基づいて自動的に交換して用いられる。例えば、用紙搬送平面上でロータリー式に交換される。
【００２７】
ここで、画像形成済み用紙に識別用の切欠きを形成した種々の態様を示す。例えば、トレイ１５１に収容された状態で示すと、図４（Ａ）は、１ジョブごとにそれぞれの用紙Ｓ１，Ｓ２，Ｓ３に対してその搬送方向Ａに対する側部に切欠き５１ａ，５１ｂ，５１ｃを形成した態様を示す。図４（Ｂ）は、１ジョブごとにそれぞれの用紙Ｓ１，Ｓ２，Ｓ３に対してその搬送方向Ａに対する先端に切欠き５２ａ，５２ｂ，５２ｃを形成した態様を示す。
【００２８】
図５（Ａ），（Ｂ）は、１ジョブごとに用紙Ｓ１，Ｓ２，Ｓ３の側部に大きさの異なる切欠き５３ａ，５３ｂ，５３ｃ、又は、５４ａ，５４ｂ，５４ｃを形成した態様を示す。さらに、図６は、１回のジョブで連続的にプリントされる１枚目の用紙Ｓ１’，Ｓ２’，Ｓ３’には切欠きを形成することなく、２枚目以降の用紙に対する切欠き５１ａ，５１ｂ，５１ｃの形成位置に対応する部分に色別の識別マークを付した態様を示す。識別マークは色別ではなく、ユーザー名などであってもよい。この種の識別マークは前記プリントユニット１０によって画像形成処理として付される。
【００２９】
図７（Ａ）は、切欠き５１ａ，５１ｂ，５１ｃの形成とパンチ穴６１の形成を併用した態様を示す。図７（Ｂ）は、切欠き５１，５１ｂ，５１ｃの形成とステープル針６２の打ち込みを併用した態様を示す。このように、切欠きの形成をパンチ穴の形成やステープル処理と併用する場合、切欠きの形成位置はパンチ穴６１が形成される用紙端部又はステープル針６２が打ち込まれる用紙端部としている。但し、パンチ穴６１の形成位置又はステープル針６２の打込み位置の近傍には切欠きを形成しないようにする。
【００３０】
また、紙種に応じて切欠きを形成するようにしてもよく、図８には、厚紙Ｓ４にのみ切欠き５５を形成した状態を示す。また、図９に示すように、用紙Ｓ３にはその搬送方向Ａの側部に加えて先端にも切欠き５６を形成するようにしてもよい。
【００３１】
以上の如く、用紙の搬送方向側部、先端又は後端に切り欠きを形成することにより、ユーザーは用紙束がトレイ１５１に積載されている状態で用紙束の種類を識別することができる。本実施例においては、切欠きの形成位置、大きさ、形状、あるいは、切欠きを形成する紙種を選択することができる。これらのモード設定については以下に説明する。
【００３２】
（切欠き形成位置の設定、図１０参照）
次に、切欠きの形成位置の設定について説明する。切欠き形成ユニット１２０は図１０（Ａ）〜（Ｄ）のそれぞれに示すように用紙搬送方向Ａに平行な初期位置に待機している。用紙Ｓの側部に切欠き５１を形成する場合には（図１０（Ａ），（Ｂ）参照）、搬送されてくる用紙Ｓのサイズに応じた側部位置まで距離Ｄ１，Ｄ２だけ移動するとともに、切欠き５１の形成位置に対応して搬送方向と平行な矢印Ａ，Ａ’に移動する。
【００３３】
また、用紙Ｓの先端に切欠き５２を形成する場合には（図１０（Ｃ），（Ｄ）参照）、切欠き５２の形成位置に対応して搬送方向Ａと直交する方向に距離Ｄ３，Ｄ４だけ移動する。
【００３４】
（制御手順、図１１〜図１６参照）
次に、制御手順について説明する。図１１は画像形成装置本体１のメインルーチンを示す。まず、画像形成装置本体１において、入力処理を実行し（ステップＳ１）、用紙の給紙・搬送を実行し（ステップＳ２）、感光体ドラムへの画像形成・用紙への画像転写を実行し（ステップＳ３）、さらに、用紙への画像定着を実行する（ステップＳ４）。
【００３５】
ステップＳ１で実行される入力処理は、画像形成装置本体１へ入力される種々の情報を処理する。ステップＳ２で実行される用紙の給紙・搬送は、給紙トレイ２０から用紙を１枚ずつピックアップして給紙し、画像形成装置本体１から排出するまでの全ての搬送処理を行う。ステップＳ３で実行される画像形成・転写は、プリントユニット１０における画像データに基づく感光体ドラムへの潜像の形成、トナーによる現像、用紙上へのトナー像の転写、感光体のクリーニング、電荷の除去などを連続して行う。ステップＳ４で実行される画像定着は、用紙上に転写されたトナー像を定着ユニット２５で加熱定着を行う。ステップＳ４では定着ユニット２５の温度制御も伴う。
【００３６】
図１２は前記ステップＳ１で実行される入力処理のサブルーチンの一つである切欠き形成位置設定の手順を示す。まず、キー受付けを処理する（ステップＳ１１）。ここでは、操作パネル２０５上に設けられている各種キーの押下状態判別回路（周知であり、図示せず）を一定の時間間隔でスキャンし、その結果によりいずれのキーが押下状態にあるかを判別するとともに、押下状態に応じて所定の動作モードを決定する。決定された動作モードは不揮発性メモリに記憶され、押下状態が解除された後でも動作モードが保持される。ここで決定された動作モードに従って画像形成装置本体１及び後処理装置１００が動作することになる。
【００３７】
次に、切欠き形成位置を決定し（ステップＳ１２）、それに従って後処理装置１００に切欠きの形成を指示する（ステップＳ１３）。ステップＳ１２における処理では、ユーザーが切欠きを形成する位置、切欠きを形成する枚数、切欠きに施すオプション（図６参照）を決定する。また、切欠きを形成する位置は過去の切欠き形成履歴から自動的に決定するようにしてもよい。
【００３８】
詳しくは、図１７に示す操作パネル２０５上のタッチパネルとして構成された選択画面２１０において、水平釦２１１を押すと、切欠き形成位置マーク２２１が用紙側部の中央部に表示され、該水平釦２１１を再度押すと消去される。また、垂直釦２１２を押すと、切欠き形成位置マーク２２２が用紙先端の中央部に表示され、該垂直釦２１２を再度押すと消去される。
【００３９】
マーク２２１はカーソルキー２１１ａ，２１１ｂを押すことで水平方向に移動し、マーク２２２はカーソルキー２１２ａ，２１２ｂを押すことで垂直方向に移動し、任意の位置に設定される。このように設定された位置が切欠きの形成位置である。なお、パンチ穴の形成やステープル処理と併用する場合には、図７で説明したように、パンチ穴６１の形成位置又はステープル針６２の打込み位置の近傍に設定することは禁止される。
【００４０】
図１３は前記ステップＳ１２で実行される切欠き形成位置決定のサブルーチンを示す。まず、ユーザーが仕上げ設定で切欠き形成を選択したことを確認すると（ステップＳ２１でＹＥＳ）、ユーザーが切欠き形成位置を選択したか否かを判定する（ステップＳ２２）。ユーザーによって切欠き形成位置を選択しない場合はステップＳ２３で自動位置設定を処理し、ユーザーによって形成位置を設定する場合には、ステップＳ２４で位置選択を処理する。
【００４１】
図１４は前記ステップＳ２３で実行される自動位置設定のサブルーチンを示す。まず、過去の履歴から切欠き形成の最適位置を演算する（ステップＳ３１）。ここでは、これまでの切欠き形成位置及び現在プリントしようとしている用紙サイズなどから最適位置を演算する。例えば、図４（Ａ）に示したように、履歴として切欠き５１ａ，５１ｂを形成していたのであれば、今回は切欠き５１ｃを形成するように演算する。
【００４２】
次に、ステップＳ３１で演算した最適位置が好ましいか否かユーザーに確認し（ステップＳ３２）、ユーザーが他のオプション（図６参照）を選択しない場合には（ステップＳ３３でＮＯ）、切欠きの形成のみを指示し（ステップＳ３４）、オプションも選択しているのであれば（ステップＳ３３でＹＥＳ）、切欠きの形成とオプションの処理を指示する（ステップＳ３５）。
【００４３】
図１５は前記ステップＳ２４で実行されるユーザーによる切欠き形成位置の選択のサブルーチンを示す。まず、操作パネル２０５上に図１７に示した選択画面２１０を表示し（ステップＳ４１）、切欠き形成位置がユーザーによって選択される（ステップＳ４２）。そして、ユーザーが他のオプション（図６参照）を選択しない場合には（ステップＳ４３でＮＯ）、切欠きの形成のみを指示し（ステップＳ４４）、オプションも選択しているのであれば（ステップＳ４３でＹＥＳ）、切欠きの形成とオプションの処理を指示する（ステップＳ４５）。
【００４４】
図１６は後処理装置１００のメインルーチンを示す。まず、画像形成装置本体１と通信処理を行い（ステップＳ５１）、用紙搬送を処理する（ステップＳ５２）。その後、切欠きを形成し（ステップＳ５３）、その他の仕上げ処理を行う（ステップＳ５４）。その他の仕上げ処理とは、画像形成済み用紙に対して、設定モードに基づいて、パンチ穴の形成、ステープル処理、紙折り処理、切欠きの形成、ソートなどを行う。
【００４５】
（他の選択画面、図１８及び図１９参照）
切欠きの種類は図１７に示した形成位置以外にも、図１８及び図１９に示すように選択可能である。図１８は切欠きの各種形状を選択可能とした選択画面２３０を示し、切欠き形状を示す釦２１３ａ〜２１３ｅを押すことにより、対応する形状を選択することができ、位置マーク２２１，２２２が選択画面２３０上に表示される。なお、切欠き形成ユニット１２０には、切欠き形状として表示されている切り口を持つパンチロッド１２１が複数種設置されており、用紙搬送平面上でロータリー式に交換される。
【００４６】
図１９は切欠きを形成する紙種を選択可能とした選択画面２４０を示し、切欠きの形成を可能とする紙種釦２４１ａ〜２４１ｄを押すことで該釦の表示を反転させて選択を登録する。この選択画面２４０で選択（反転）されていない紙種でプリントを行う場合は、図１７や図１８に示す選択画面２１０，２３０が表示されなくなる。
【００４７】
（外部機器からの切欠きの設定）
前記画像形成装置本体１に対してはネットワークなどを介してコンピュータなどの外部機器から切欠きの設定が可能である。コンピュータの画面上には図１７、図１８及び図１９に示したのと同様の選択画面が表示され、マウスによって同様の選択が可能である。
【００４８】
（他の実施例）
なお、本発明に係る画像形成システムは前記実施例に限定するものではなく、その要旨の範囲内で種々に変更できる。
【００４９】
例えば、画像形成装置本体はカラープリンタ以外にモノクロ画像を形成するプリンタ、複写機であってもよい。また、切欠き形成ユニットは画像形成装置本体に搭載されていてもよい。さらに、切欠き形成ユニットや収容箱の細部の構造は任意である。
【図面の簡単な説明】
【００５０】
【図１】本発明に係る画像形成システムの一例を示す概略構成図である。
【図２】前記画像形成システムの制御部を示すブロック図である。
【図３】前記画像形成システムを構成する後処理装置の要部を示す概略構成図である。
【図４】切欠き形成の第１の態様を示す斜視図である。
【図５】切欠き形成の第２の態様を示す斜視図である。
【図６】切欠き形成の第３の態様を示す斜視図である。
【図７】切欠き形成の第４の態様を示す斜視図である。
【図８】切欠き形成の第５の態様を示す斜視図である。
【図９】切欠き形成の第６の態様を示す斜視図である。
【図１０】切欠きユニットによる切欠き形成位置の設定を示す説明図である。
【図１１】画像形成装置の制御手順（メインルーチン）を示すフローチャート図である。
【図１２】入力処理のサブルーチンを示すフローチャート図である。
【図１３】切欠き形成位置決定のサブルーチンを示すフローチャート図である。
【図１４】自動位置設定のサブルーチンを示すフローチャート図である。
【図１５】切欠き形成位置の選択のサブルーチンを示すフローチャート図である。
【図１６】後処理装置の制御手順（メインルーチン）を示すフローチャート図である。
【図１７】操作パネル上に表示される選択画面の第１例を示す平面図である。
【図１８】操作パネル上に表示される選択画面の第２例を示す平面図である。
【図１９】操作パネル上に表示される選択画面の第３例を示す平面図である。
【符号の説明】
【００５１】
１…画像形成装置本体
５１〜５６…切欠き
１００…後処理装置
１２０…切欠き形成ユニット
１２１…パンチロッド
１２５…収容箱
２１０，２３０，２４０…選択画面
Ｓ…用紙
Ａ…用紙搬送方向
【図１】
2006347715.tif 000003
【図２】
2006347715.tif 000004
【図３】
2006347715.tif 000005
【図４】
2006347715.tif 000006
【図５】
2006347715.tif 000007
【図６】
2006347715.tif 000008
【図７】
2006347715.tif 000009
【図８】
2006347715.tif 000010
【図９】
2006347715.tif 000011
【図１０】
2006347715.tif 000012
【図１１】
2006347715.tif 000013
【図１２】
2006347715.tif 000014
【図１３】
2006347715.tif 000015
【図１４】
2006347715.tif 000016
【図１５】
2006347715.tif 000017
【図１６】
2006347715.tif 000018
【図１７】
2006347715.tif 000019
【図１８】
2006347715.tif 000020
【図１９】
2006347715.tif 000021